(57)【要約】      （修正有）【課題】変形可能な婦人用ズボンに関し、それが異なるタイプのズボンに変形することを許容すること、特に、ズボンを長さの異なるスカートにするだけでなく、ミニスカートに変形させる。【解決手段】ジッパー２によって、ズボン脚部の上部を備えたブリッジ部又は片３に結合された上部分１を備えている。ジッパー２は、ズボン股の上に水平に配置される。すなわち、上部分又は片１は、その上縁に沿ってベルトのためのベルトループ４が設けられている管状であり、その下縁は、それによってズボン脚部の上部のブリッジ部３が結合されるジッパー２を含んでいる。かかる結合は、当該ジッパー２がズボンの周囲を取り囲むことにより、あるいは、ブリッジ部３から上部１の周囲が分離された後、異なる長さのズボンならびにミニスカートを形成する方法によりなされる。【選択図】図１
0003141588.tif 000002
【実用新案登録請求の範囲】
【請求項１】
ユーザの腰の周囲にベルトを締める手段を有する上部分を備えるとともに、その下縁領域(lower hem region)にそれを用いてズボンの脚部に対応する他の部分を結合させるジッパーを有し、異なる組み合わせを結合させ又はスカートを形成するため、あるいは、特定の部品を結合させてハンドバッグを形成するため、その伸張を可能にするサイドジッパー(side zip)を有する、変形可能な婦人用ズボンであって、
前記上部分は、前記ズボン脚部の上部を備えるため、それに対して第二ブリッジ部が接合されるその下縁領域に対応する周囲ジッパー(peripheral zip)を有し、当該ジッパーは、その分離を通じてミニスカートが形成されるよう、前記ブリッジ部又は片(piece)の股より上方に配されること、
を特徴とする変形可能な婦人用ズボン。
【請求項２】
請求項１にかかる変形可能な婦人用ズボンであって、
前記下方のブリッジ部から分離した前記ミニスカートの前記上部分の構成（１）および前記下方のブリッジ部の両方、ならびに、ズボン脚部又はスカートの異なる部分を備えた前記他の部分は、それらが一つに組み合わされると、まっすぐであること、
を特徴とする変形可能婦人用ズボン。
【請求項３】
請求項１または２にかかる変形可能な婦人用ズボンにおいて、
前記ズボン脚部の前記異なる部分を形成するために前記ブリッジ部に結合される前記部分は四角形であり、それらが伸張する場合、共に結合される部分のサイズに基づいてハンドバッグを生成するため、対応するジッパーを有すること、
を特徴とする変形可能婦人用ズボン。
【請求項４】
請求項１〜３のいずれかにかかる変形可能な婦人用ズボンにおいて、
前記ズボン脚部に対応する前記いくつかの伸張部分は、より大きなバッグを形成するため、選択的に結合可能であること、
を特徴とする変形可能な婦人用ズボン。
【請求項５】
請求項１〜４のいずれかにかかる変形可能な婦人用ズボンにおいて、
前記ミニスカートの前記上部分の構成は、それが前記ブリッジ部から分離された場合に、前記ハンドバッグのストラップを有するようにするため、ジッパーカーソル(zip cursor)又はガイドホールに対して締め固定する手段を有する、対応するベルトの上端に沿って配されるベルトループを有すること、
を特徴とする変形可能な婦人用ズボン。
【考案の詳細な説明】
【技術分野】
【０００１】
本考案は、変形可能な婦人用ズボンに関し、その明確な目的は、それが異なるタイプのズボンに変形することを許容すること、特に、ズボンを長さの異なるスカートにするだけでなく、ミニスカートに変形させることである。
【０００２】
本考案の目的は、ズボンとして購入した衣服を変形することを可能にし、その結果、ユーザの好みや希望に基づいて異なるタイプの衣服を得ることである。このズボンは、女性によって用いられることが好ましく、基本的にそう想定されているが、それが男女兼用ズボンとして、男性および女性の両方に着用される可能性を排除しておらず、唯一の例外として、最初のケースにおいては、部品を変更することにより異なるズボンを形成可能であり、二番目のケースにおいては、異なるタイプのズボン、具体的にはミニスカート、さらに長さの異なるスカートを形成することができる。
【背景技術】
【０００３】
スペイン実用新案Ｕ９８０３２４５は、元のズボンの形状を有する分離可能な部品を組み合わせることにより、長さおよび形が異なるショーツ、長ズボン、丈の長いあるいは短いスカート、果てはハンドバッグにまで変形する、一対のズボンを開示している。
【０００４】
具体的に述べると、実用新案Ｕ９８０３２４５で定義されたズボンは、基本的に、分離ベルトを有する上部分であって、一対のショーツを備えたものから構成され、当該上部分又はショーツの下縁領域が、ズボン脚部の上部を備える第二部分にジッパーによって結合され、当該ズボン脚部の上部は、当該脚部の下に前記脚部の延長として、ジッパーにより水平方向に固定される実際のズボン脚部に相当する長い部分と結合され、他の部品から構成される当該ズボンは、ジッパーにより水平方向に共に結合されるとともにジッパーにより共に結合された下部分によって完結し、ユーザーの身長および／又は要望に基づいたズボンに適応するように、前記部品の切り離しを可能にするためサイドジッパーを有しない、縁と呼ばれる部分を備えている。
【０００５】
前述の全ての部品又は片は、どのような種類のものであってもよいが、ショーツに相当する上部分および脚部の両方、ならびに、ズボンを構成する他の部分においては、伸縮性を有する布から異なる色の布又は素材の組み合わせ、装飾品および多数又は少数のポケットであることが好ましい。
【０００６】
前述のショーツ、長さおよび形が異なるズボン、スカート、さらに、補助ベルトをハンドバッグストラップとして用い、長い脚部分の異なる部品を伸張し結合することにより形成可能なハンドバッグを形成するため、これらの部分の全てを分離し、異なる組み合わせで共に結合させることが可能である。
【０００７】
実用新案Ｕ９８０３２４５に対応する変形可能なズボンの短所は、その構成エレメントが一対のショーツであるので、それがスカートに変形されると、ズボンの上部分を残りの部分に結合するジッパーが股よりも下に位置するため、前記上部分が常に前記ショーツから構成されるようになり、したがって、それがスカートに変更された場合、ズボンの一部、正確には、前記ジッパーより上方にある上部分が、他のパーツの適切な組み合わせを通じて生成されたスカートの下に隠れ、ユーザーにとっては不快である、ということである。
【考案の開示】
【課題を解決するための手段】
【０００８】
前項の説明に基づくと、新しいズボンの主要かつ一次的な特徴は、普通の長さのスカートからマキシスカート等まで長さの異なるスカートを形成するため、ズボンの下部分又は片を分離することにより、前述の上部分が、それに対し他の部分を追加することでミニスカートになるという構成を採用することにより、ズボンを、従来のように股より下ではなく前記ジッパーが股より上方に配されている前記ズボンの上部分から構成される、ミニスカートに変換することが可能であるので、本考案のズボンは前述の問題点を解決する一連の特性を有している。
【０００９】
かかる新しいズボンは、ズボンを形成するに際し、所望の長さを得るまで、このブリッジ部又は片を前記ジッパーに接合し、残りの部分を前記ズボンの上部分の下縁部に接合するという構成を採用するとともに、いずれかの長さのスカートを形成するに際し、前記ジッパーのブリッジ部又は上部が分離し用いられないので、実際のスカートは、ショーツ無しで形成され、したがってユーザーの快適度が増大するという構成を採用することにより、前記ズボン脚部の上部に対応する第二部分又は片が前述のジッパーによって股よりも上に接合されるという事実から構成される、二次的な特性を有している。
【００１０】
本考案のズボンの他の新規な特徴は、適切な幅のスカートに適合させるための変形を達成するため、その後にズボン脚部の上部およびズボンの残り又は実際のズボン脚部分が続く、ミニスカートを備えた上部分がまっすぐであることである。
【００１１】
同様に、本考案のズボンのハンドバッグへの変形は、それに対しベルトの端がジッパーのガイド穴に直接固定可能である、適切な構成を有するハンドバッグを形成するよう、分離可能なズボン部分が完全な四角形かつまっすぐでなければならない、という短所を有する前述の実用新案Ｕ９８０３２４５において開示されたのと同じ方法で実行されるので、実用新案Ｕ９８０３２４５のズボンの下縁は不要となる。
【００１２】
ハンドバッグへの変形においては、長い又は短い脚部を用いることで、より広い又は狭いスペースのバッグを構成することができ、ズボンの部品全部を伸張し結合することにより大きなスポーツバッグあるいは旅行バッグを形成することも可能となることが明らかである。
【考案を実施するための形態】
【００１３】
前述の図面に示されたように、本考案のズボンは、ジッパー（２）によりズボン脚の上部を備えるブリッジ部又は片（３）に結合される上部（１）を備えて構成され、ジッパー（２）は、水平かつズボンの股より上方に配されている。すなわち、上部分又は片（１）は、その上縁に沿ってベルトのためのベルトループ（４）が設けられている管状であり、その下縁は、それによってズボン脚部の上部のブリッジ部（３）が結合されるジッパー（２）を含んでいる。かかる結合は、当該ジッパー（２）がズボンの周囲を取り囲むことにより、あるいは、ブリッジ部（３）から上部（１）の周囲が分離された後、異なる長さのズボンならびに図３に示されたミニスカートを形成する方法によりなされる。
【００１４】
全ての場合に、前記ズボンを構成するパーツおよび片（１および３）ならびに他のパーツがまっすぐとなるような方法により、長又は短ズボン、すなわち、ショーツ、四分の三の長さのズボン、長ズボン等を形成するよう、異なる長さの他のパーツを下縁領域（５）に加えることで、図１および図２に示すもの、すなわち、上部分（１）およびブリッジ部（３）、に基づいてズボンを形成してもよい。
【００１５】
上部分（１）からスカートを形成するため、ブリッジ部（３）から分離されると、ズボン脚に対応するパーツであって共に伸張し接合するものを、上部分（１）のジッパー（２）に結合された部品の数又は長さに応じて、長さの異なるまっすぐなスカートを形成するような方法により、ジッパー（２）に結合する。
【００１６】
すなわち、ズボンを形成するためには、ブリッジ部（３）を、上部分（１）に結合しなければならず、スカートを形成するためには、ブリッジ部（３）を除去しなければならず、これらのパーツは、全てサイドジッパーを有し、ジッパー（２）により上部分又は片（１）に結合されると、前方および後方において共に結合され、伸張するとスカートを含むまっすぐなパーツを形成するので、ズボン脚部に対応する異なる伸張パーツは、ジッパー（２）より上方に結合されなければならない。
【００１７】
ジッパー、ボタン等の留め具を用いた異なるポケット部分を追加することに加えて、異なる種類のもの（生地、皮等）から構成された異なるズボンおよびスカートの部品により、異なる組み合わせを使って形成してもよい、という事実に注目しなければならない。
【００１８】
前述のズボンから形成可能なハンドバッグについては、特定の部品を用いることにより、伸張させる場合、ユーザがハンドバッグのサイズを変更し、全ての部品を結合することによって大きなバッグを形成することができ、分離させる場合、元のズボンの上部（１）に結合するベルトを常に用いることで、ユーザが、決定されたズボン脚部分を伸張させ、それらを共に結合させるだけでよく、適切な形状のハンドバッグを形成するため、これらの部品は四角形であることを指摘すべきである。
【図面の簡単な説明】
【００１９】
以下の説明を補完し、本考案の特徴を更に説明する目的から、その好ましい実施形態に関する一連の図面であって、例示的かつ非限定的な方法で示された以下の図面が、前記説明の一体部分として含まれる。
【図１】図１は、その上部分およびズボン脚部の上又はブリッジ部を含む本考案の変形可能なズボンの正面斜視図を示す。
【図２】図２は、前の図面で表されたズボンの背面部分の正面斜視図を示す。
【図３】図３は、図１および図２に示されたズボンの上部分から、ズボン脚部の上部又はブリッジ部を除去、あるいは、分離することにより形成されたミニスカートの斜視図を示す。
【図１】
0003141588.tif 000003
【図２】
0003141588.tif 000004
【図３】
0003141588.tif 000005